(57)【要約】【課題】  撮影時のカメラ本体の構え方向に関係なく、ユーザの所望する方向に撮影画像を保存することを可能とする。【解決手段】  シャッタボタン３１が押されることによって被写体の撮影画像を記録媒体に記録する電子写真装置であって、各種機能選択に用いられる上下左右の方向選択ボタン３４を備えており、制御部は、方向選択ボタン３４の一つの方向ボタンが押された後にシャッタボタン３１が押された場合、または一つの方向ボタンが押された状態でシャッタボタン３１が押された場合には、一つの方向ボタンが押された方向が撮影画像の下側となるように画像を回転させて、または一つの方向ボタンが押された方向が下側であることを示す情報を撮影画像に付加して記録媒体に記録する。【選択図】  図２
2006080889.tif 000002
【特許請求の範囲】
【請求項１】
シャッタボタンが、１段押しによりフォーカス調整を行い、次の２段押しによりシャッタをきるように構成されており、このシャッタボタンが２段押しされたときに、被写体の撮影画像を記録媒体に記録する撮影画像記録制御手段を有する電子写真装置であって、
被写体の撮影画像を表示する表示手段と、
各種機能選択に用いられる上下左右の方向選択ボタンと、
被写体の撮影画像を前記記録媒体に記録するに際し、前記撮影画像の上下方向を検出する撮影方向検出手段とを備えており、
撮影時に前記一つの方向ボタンが押されたとき、前記表示手段に前記方向ボタンの押された方向が撮影画像の下側であることを示す記号を併せて表示するとともに、
前記撮影画像記録制御手段は、前記シャッタボタンが１段押しされた後に前記方向選択ボタンの一つの方向ボタンが押され、その後前記シャッタボタンが２段押しされた場合には、前記一つの方向ボタンが押された方向が撮影画像の下側となるように画像を回転させて、または前記一つの方向ボタンが押された方向が下側であることを示す情報を撮影画像に付加して前記記録媒体に記録する一方、撮影時に前記シャッタボタンのみが操作され、前記方向選択ボタンが操作されない場合には、前記撮影方向検出手段による撮影画像の方向検出を優先し、その検出方向が撮影画像の下側となるように画像を回転させて、または前記検出方向が下側であることを示す情報を撮影画像に付加して前記記録媒体に記録することを特徴とする電子写真装置。
【請求項２】
シャッタボタンが押されることによって被写体の撮影画像を記録媒体に記録する撮影画像記録制御手段を有する電子写真装置であって、
各種機能選択に用いられる上下左右の方向選択ボタンを備えており、
前記撮影画像記録制御手段は、前記方向選択ボタンの一つの方向ボタンが押された後に前記シャッタボタンが押された場合、または前記一つの方向ボタンが押された状態で前記シャッタボタンが押された場合には、前記一つの方向ボタンが押された方向が撮影画像の下側となるように画像を回転させて、または前記一つの方向ボタンが押された方向が下側であることを示す情報を撮影画像に付加して前記記録媒体に記録することを特徴とする電子写真装置。
【請求項３】
シャッタボタンが押されることによって被写体の撮影画像を記録媒体に記録する撮影画像記録制御手段を有する電子写真装置であって、
各種機能選択に用いられる上下左右の方向選択ボタンを備えており、
前記撮影画像記録制御手段は、前記シャッタボタンが押された後、予め設定された所定時間内に前記方向選択ボタンの一つの方向ボタンが押された場合には、前記一つの方向ボタンが押された方向が撮影画像の下側となるように画像を回転させて、または前記一つの方向ボタンが押された方向が下側であることを示す情報を撮影画像に付加して前記記録媒体に記録することを特徴とする電子写真装置。
【請求項４】
シャッタボタンが、１段押しによりフォーカス調整を行い、次の２段押しによりシャッタをきるように構成されており、このシャッタボタンが２段押しされたときに、被写体の撮影画像を記録媒体に記録する撮影画像記録制御手段を有する電子写真装置であって、
各種機能選択に用いられる上下左右の方向選択ボタンを備えており、
前記撮影画像記録制御手段は、前記シャッタボタンが１段押しされた後に前記方向選択ボタンの一つの方向ボタンが押され、その後前記シャッタボタンが２段押しされた場合には、前記一つの方向ボタンが押された方向が撮影画像の下側となるように画像を回転させて、または前記一つの方向ボタンが押された方向が下側であることを示す情報を撮影画像に付加して前記記録媒体に記録することを特徴とする電子写真装置。
【請求項５】
撮影時に前記一つの方向ボタンが押されたとき、被写体の撮影画像を表示する表示手段に前記方向ボタンの押された方向が撮影画像の下側であることを示す記号を併せて表示することを特徴とする請求項２ないし請求項４のいずれかに記載の電子写真装置。
【請求項６】
被写体の撮影画像を前記記録媒体に記録するに際し、前記撮影画像の上下方向を検出する撮影方向検出手段を備えており、
前記撮影画像記録制御手段は、撮影時に前記シャッタボタンのみが操作され、前記方向選択ボタンが操作されない場合には、前記撮影方向検出手段による撮影画像の方向検出を優先し、その検出方向が撮影画像の下側となるように画像を回転させて、または前記検出方向が下側であることを示す情報を撮影画像に付加して前記記録媒体に記録することを特徴とする請求項２ないし請求項４のいずれかに記載の電子写真装置。
【発明の詳細な説明】
【技術分野】
【０００１】
本発明は、シャッタボタンが押されることによって被写体の撮影画像を記録媒体に記録する電子写真装置に係り、より詳細には、撮影画像を記録媒体に記録するときの撮影画像の上下方向をマニュアル設定することのできる電子写真装置に関する。
【背景技術】
【０００２】
電子写真装置である電子カメラは、通常の撮影姿勢として、一般的にカメラ本体を横長に構えて撮影することを前提として構成されている。しかし、被写体によっては、縦長に撮影したい場合もあり、その場合にはカメラ本体を縦長に構えて撮影することになる。
【０００３】
このようにして撮影された画像をカメラ本体の表示部に表示した場合、またはパソコンに接続して撮影画像をパソコン内に取り込んで表示した場合、縦長に構えて撮影した画像は９０度回転して横長の状態で表示部に表示されることになり、ユーザにとっては非常に見づらい画像となる。
【０００４】
そのため、従来の電子カメラには、撮影時の電子カメラの方向を自動的に検出して、撮影画像を記録媒体に記録するときの記録方向（保存方向）を決定するための方向検出センサ（いわゆるオリエンテーションセンサ）が搭載されているものがある。
【０００５】
このタイプの電子カメラでは、例えばカメラ本体を縦長に向けて被写体を撮影したときには、方向検出センサにより撮影時のカメラ本体の方向を検出し、記録媒体に記録（保存）するときには、撮影画像をそのカメラ本体が下側となっている側が下になるように画像を９０度回転させて記録するようになっている。そのため、この撮影画像を例えばパソコン内に取り込んで表示した場合には、横長に構えて撮影された画像は横長に、縦長に構えて撮影された画像は縦長に表示されるようになっている（これを従来技術１という）。
【０００６】
一方、充電可能なカメラ用スタンドにカメラ本体をセットして、内蔵二次電池に対する充電操作や撮影画像のプリント操作等を行うことが可能な電子カメラにおいて、カメラ本体がカメラ用スタンドに載置されたことを検出して、表示手段に表示する画像の向きを変更するように構成された電子カメラが提案されている（例えば、特許文献１参照）。
【０００７】
また、撮像部をカメラ本体に対して自由に交換可能であって、縦置き型及び横置き型の両タイプに対応可能な電子カメラにおいて、撮像部が縦型接続であるのか、横型接続であるのかを検出し、その検出結果に応じて撮影画像を９０度回転処理して記録媒体に記録するように構成された電子カメラも提案されている（例えば、特許文献２参照）。
【特許文献１】特開２００３−１０１８４４号公報
【特許文献２】特開２０００−２３６４６９号公報
【発明の開示】
【発明が解決しようとする課題】
【０００８】
しかし、上記従来技術１の電子カメラでは、例えばカメラ本体を下（地面の方向）に向けて撮影した場合や、上（空の方向）に向けて撮影した場合には、方向検出センサでその方向を検出することができず、この場合には、方向検出センサを無効として、通常通りカメラ本体を横長に構えた状態として撮影画像を記録媒体に記録することになる。そのため、本来は縦長として記録したい撮影画像が横長として記録されてしまうといった不具合が発生する可能性があった。
【０００９】
また、上記特許文献１の電子カメラでは、電子カメラがカメラ用スタンドに載置されているか否かで撮影画像の表示の向きを変更するものであり、撮影時に撮影画像の向きを検出して記録媒体に記録するものではない。また、上記特許文献２の電子カメラでは、撮像部の装着方向に応じて撮影画像を回転処理するものであり、ユーザにより撮影時にカメラ本体を構えた方向に応じて撮影画像を回転処理するものではない。
【００１０】
本発明はかかる問題点を解決すべく創案されたもので、その目的は、撮影時のカメラ本体の構え方向に関係なく、ユーザの所望する方向に撮影画像を保存、すなわち記録媒体に記録することのできる電子写真装置を提供することにある。
【課題を解決するための手段】
【００１１】
上記課題を解決するため、本発明の電子写真装置は、シャッタボタンが押されることによって被写体の撮影画像を記録媒体に記録する撮影画像記録制御手段を有する電子写真装置であって、各種機能選択に用いられる上下左右の方向選択ボタンを備えており、前記撮影画像記録制御手段は、前記方向選択ボタンの一つの方向ボタンが押された後に前記シャッタボタンが押された場合、または前記一つの方向ボタンが押された状態で前記シャッタボタンが押された場合には、前記一つの方向ボタンが押された方向が撮影画像の下側となるように画像を回転させて、または前記一つの方向ボタンが押された方向が下側であることを示す情報を撮影画像に付加して前記記録媒体に記録することを特徴とする。
【００１２】
このような特徴を有する本発明によれば、装置のメニュー操作で使用する上下左右の方向選択ボタンを用いて、記録媒体に記録するときの撮影画像の上下方向を、ユーザの所望する方向に設定することができる。この場合、撮影画像記録制御手段は、メニューの操作モードでない状態において方向選択ボタンの一つの方向ボタンが押されると、これから撮影する画像の記録方向（保存方向）を指示する指示モードであると判断し、その一つの方向ボタンの方向が撮影画像の下側であると判定する。そして、その後にシャッタボタンが押されると、前記判定した通りの方向で撮影画像を記録媒体に記録する。例えば、ユーザが右方向ボタンを押してから（あるいは押し下げした状態で）シャッタボタンを押すことにより、撮影画像記録制御手段は、ＣＣＤから取り込んだ横長の撮影画像の右側が下となるように画像を回転させて、またはＣＣＤから取り込んだ横長の撮影画像の右側が下であることを示す情報を撮影画像に付加して記録媒体に記録する。これにより、ユーザの所望する通りの方向で撮影画像を記録媒体に記録することができる。
【００１３】
その結果、記録媒体に記録した撮影画像を例えばカメラ本体の表示部に表示する場合、または電子写真装置をパソコンに接続して、撮影画像をパソコン内に取り込んで表示する場合に、例えば撮影時に右方向ボタンを押して撮影した画像は、通常の横長画像の場合の右側が下となるように９０度回転した縦長状態で表示されることになる。
【００１４】
また、本発明の電子写真装置は、シャッタボタンが押されることによって被写体の撮影画像を記録媒体に記録する撮影画像記録制御手段を有する電子写真装置であって、各種機能選択に用いられる上下左右の方向選択ボタンを備えており、前記撮影画像記録制御手段は、前記シャッタボタンが押された後、予め設定された所定時間内に前記方向選択ボタンの一つの方向ボタンが押された場合には、前記一つの方向ボタンが押された方向が撮影画像の下側となるように画像を回転させて、または前記一つの方向ボタンが押された方向が下側であることを示す情報を撮影画像に付加して前記記録媒体に記録することを特徴とする。
【００１５】
このような特徴を有する本発明によれば、従来通りシャッタボタンを押した後、予め設定された所定時間（３〜５秒程度）内に方向選択ボタンの一つの方向ボタンを押すことにより、その方向ボタンの押された方向を撮影画像の下側として記録媒体に記録することができる。これにより、例えば被写体がシャッタチャンスであった場合に、そのシャッタチャンスを逃すことなくまず撮影し、その後に撮影画像を記録媒体に記録する方向を選択することができる。
【００１６】
また、本発明の電子写真装置は、シャッタボタンが、１段押しによりフォーカス調整を行い、次の２段押しによりシャッタをきるように構成されており、このシャッタボタンが２段押しされたときに、被写体の撮影画像を記録媒体に記録する撮影画像記録制御手段を有する電子写真装置であって、各種機能選択に用いられる上下左右の方向選択ボタンを備えており、前記撮影画像記録制御手段は、前記シャッタボタンが１段押しされた後に前記方向選択ボタンの一つの方向ボタンが押され、その後前記シャッタボタンが２段押しされた場合には、前記一つの方向ボタンが押された方向が撮影画像の下側となるように画像を回転させて、または前記一つの方向ボタンが押された方向が下側であることを示す情報を撮影画像に付加して前記記録媒体に記録することを特徴とする。
【００１７】
このような特徴を有する本発明によれば、シャッタボタンを１段押しした後、２段押しする前に方向選択ボタンの一つの方向ボタンが押されると、これから撮影する画像の記録方向（保存方向）を指示する指示モードであると判断し、その一つの方向ボタンの方向が撮影画像の下側であると判定する。そして、その後にシャッタボタンが押されると、前記判定した通りの方向で撮影画像を記録媒体に記録する。例えば、ユーザがシャッタボタンを１段押しした後、右方向ボタンを押し、その後、シャッタボタンを２段押しすることにより、撮影画像記録制御手段は、ＣＣＤから取り込んだ横長の撮影画像の右側が下となるように画像を回転させて、またはＣＣＤから取り込んだ横長の撮影画像の右側が下であることを示す情報を撮影画像に付加して記録媒体に記録する。これにより、ユーザの所望する通りの方向で撮影画像を記録媒体に記録することができる。本発明によれば、方向選択ボタンに例えばズーム機能が付加されているような場合に、方向選択ボタンのズーム機能と方向指示機能とを区別して使い分けることができる。すなわち、シャッタボタンを押す前に方向選択ボタンの例えば上方向ボタンが押されるとズームアップし、下方向ボタンが押されるとズームダウンするといったズーム機能を実効する。一方、シャッタボタンが１段押しされると、撮影画像記録制御手段は、その時点で方向選択ボタンの機能をズーム機能から撮影画像を取り込む方向指示機能に切り換える。これにより、以後の操作は上記した通り、撮影画像の記録媒体に記録するときの方向指示機能として使用することができる。
【００１８】
また、本発明の電子写真装置によれば、撮影時に前記一つの方向ボタンが押されたとき、被写体の撮影画像を表示する表示手段に前記方向ボタンの押された方向が撮影画像の下側であることを示す記号を併せて表示するように構成してもよい。これにより、ユーザは、手動操作によって指示した撮影画像の取り込み方向が、自分の意図した方向と一致しているか否かを、表示手段に表示される記号を目視することによって判断することが可能となる。
【００１９】
さらに、本発明によれば、被写体の撮影画像を前記記録媒体に記録するに際し、前記撮影画像の上下方向を検出する撮影方向検出手段を備えていてもよい。この撮影方向検出手段は、基本的には従来の電子写真装置に搭載されているオリエンテーションセンサのことである。この場合、前記撮影画像記録制御手段は、撮影時に前記シャッタボタンのみが操作され、前記方向選択ボタンが操作されない場合には、前記撮影方向検出手段による撮影画像の方向検出を優先し、その検出方向が撮影画像の下側となるように画像を回転させて、または前記検出方向が下側であることを示す情報を撮影画像に付加して前記記録媒体に記録するようにすればよい。これにより、撮影画像を記録媒体に記録するときの、撮影方向検出手段による自動での撮影画像の上下方向の設定と、方向選択ボタンの操作による手動での撮影画像の上下方向の設定とを使い分けることが可能となる。
【発明の効果】
【００２０】
本発明の電子写真装置によれば、従来の撮影方向検出手段を搭載していなくても、ユーザの所望する通りの上下方向で撮影画像を記録媒体に記録することができる。また、撮影方向検出手段を搭載しない場合には、その分製造コストを低減することができる。また、撮影方向検出手段では撮影画像の上下方向を判別できないような場合、例えば装置を下（地面）に向けた場合や上（空）に向けた場合でも、方向選択ボタンの操作によって撮影画像の上下方向を指定することができる。
【発明を実施するための最良の形態】
【００２１】
以下、本発明の実施の形態について、図面を参照して説明する。
【００２２】
図１は、本実施形態の電子写真装置である電子カメラの電気的構成を示すブロック図であり、図２（ａ）はこの電子カメラの正面図、（ｂ）は背面図である。
【００２３】
本実施形態の電子カメラ１は、本体の動作を制御する制御部２と、操作部３と、被写体を撮影するための撮影レンズ（対物レンズ）やＣＣＤを有する撮影部４と、撮影部４で撮影されている被写体の撮影画像を表示する表示部５と、撮影時におけるフラッシュの点灯を制御する照明部６と、撮影部４で撮影された被写体の撮影画像を電子データで記録する記録部７と、電子カメラ１の方向すなわち撮影画像の上下方向を検出する撮影方向検出部（オリエンテーションセンサ）８とを備えている。ただし、本実施形態では、撮影方向検出部８は必ずしも必要なものではない。
【００２４】
操作部３は、少なくともシャッタボタン３１、電子カメラ１の電源をオン／オフする電源ボタン３２、表示部５に各種メニューを表示するためのメニューボタン３３、メニュー画面で各種機能を設定するための上下左右の方向選択ボタン３４を備えている。シャッタボタン３１は、カメラ本体１０の上面に配置されており、その他のボタンは図２（ｂ）に示すようにカメラ本体１０の背面に配置されている。
【００２５】
また、カメラ本体１０の背面には、表示部５によりその画面表示が制御される液晶表示器１４が配置されている。液晶表示器１４には、撮影部４で撮影されている被写体の撮影画像や、記録部７に記録されている撮影画像が表示される。また、ファインダ１３は、カメラ本体１０の背面側の幅方向の略中央部に設けられている。
【００２６】
記録部７は、撮影部４で撮影した被写体の撮影画像を電子データで記録媒体である例えばフラッシュメモリカードに記録する。このフラッシュメモリカードはカメラ本体１０に対して着脱可能となっている。また、照明部６によりその点灯が制御されるフラッシュ１２は、図２（ａ）に示すようにカメラ本体１０の幅方向の略中央に配置されている。
【００２７】
さらに、本実施形態の電子カメラ１は、カメラ本体１０にセットされた電池（不図示）により、本体各部に動作電源を供給する。電子カメラ１には、待機モードと撮影モードの２つのモードがある。カメラ本体１０にセットされている電池により、本体各部に動作電源の供給が行われており、被写体の撮影が行える状態が撮影モードである。一方、電源ボタン３２の操作（押下）を検出する検出機構部のみ動作電源が供給されており、その他の機構部（撮影部４、表示部５、照明部６、記録部７）に動作電源が供給されていない状態が待機モードである。待機モードは、電子カメラ１の消費電力を抑えたモードである。通常、撮影時に電子カメラ１を待機モードから撮影モードに移行させて被写体の撮影を行い、撮影終了時に電子カメラ１を撮影モードから待機モードに戻す。
【００２８】
制御部２は、シャッタボタン３１が押されることによって被写体の撮影画像を記録媒体に記録する撮影画像記録制御手段である。制御部２は、撮影モード時、方向選択ボタン３４の一つの方向ボタンとシャッタボタン３１との組み合わせによって、撮影画像を記録媒体に記録するときの撮影画像の上下方向を設定する制御を行う。以下、この方向設定記録制御について、具体的に実施例を挙げて説明する。
【実施例１】
【００２９】
本実施例１の方向設定記録制御は、方向選択ボタン３４の一つの方向ボタンが押された後にシャッタボタン３１が押された場合、または一つの方向ボタンが押された状態でシャッタボタン３１が押された場合には、一つの方向ボタンが押された方向が撮影画像の下側となるように画像を回転させて、または一つの方向ボタンが押された方向が下側であることを示す情報を撮影画像に付加して記録媒体に記録するように制御する実施例である。以下、図３に示す説明図、及び図４に示すフローチャートを参照して説明する。ただし、図３中の白抜きの矢符は撮影画像の方向を示している。
【００３０】
ユーザは、電源ボタン３２をオンして撮影モードとし、シャッタボタン３１を押す前に、カメラの方向を設定する。通常、初期設定では、図３（ａ）に示すように、撮影画像の上下とカメラ本体１０の上下とが一致するように設定されている。
【００３１】
撮影モードになると、制御部２は、シャッタボタン３１及び方向選択ボタン３４の入力を常に監視する（ステップＳ１１，ステップＳ１２）。
【００３２】
その結果、シャッタボタン３１を押す前に方向選択ボタン３４の一つの方向ボタンが押された場合（ステップＳ１１でＹｅｓと判断された場合）には、その一つの方向ボタンが押された方向が撮影画像の下側となるように画像の取り込み方向を設定する（ステップＳ１３）。例えば、図３（ｂ）に示すように、カメラ本体１０を横長に構えた状態で方向選択ボタン３４の例えば左方向ボタン３４Ｌが押されると、液晶表示器１４に表示されている撮影画像の左側が記録媒体への記録時に下側となるように、その取り込み方向（記録媒体への記録方向）を設定する。この場合、同図に示すように、液晶表示器１４内の左側に記号１４ａを表示（図では黒い帯を表示）して、撮影画像の取り込み時には撮影画像の左側が下側であることをユーザが目視で確認できるようにしてもよい。ただし、記号１４ａについては、このような帯状の表示に限定されるものではない。
【００３３】
この後、制御部２は引き続きシャッタボタン３１を監視し（ステップＳ１４）、シャッタボタン３１が押されると（ステップＳ１４でＹｅｓと判断されると）、左方向ボタン３４Ｌが押された方向が撮影画像の下側となるように画像を回転（この場合は反時計方向に９０度回転）させて（図３（ｃ）参照）、または左方向ボタン３４Ｌが押された方向が下側であることを示す情報（例えば、反時計方向への９０度の回転情報等）を撮影画像に付加して記録媒体に記録する（ステップＳ１５）。なお、画像の回転角度については、方向選択ボタン３４のどの方向ボタンが押されたかによって、１８０度または２７０度回転させる場合もある。例えば、上記の例で言うと、カメラ本体１０が底部を下にして撮影している状態で上方向ボタン３４Ｕが押された場合には、撮影画像を反時計方向に１８０度回転し、右方向ボタン３４Ｒが押された場合には、撮影画像を反時計方向に２７０度回転させる。つまり、本実施例では、カメラ本体１０の底部を基準として、反時計方向に回転角度を設定している。このことは、以下に説明する実施例においても同様である。
【００３４】
一方、方向選択ボタン３４が押されないままシャッタボタン３１が押された場合（ステップＳ１１でＮｏ、ステップＳ１２でＹｅｓと判断された場合）には、制御部２は、初期設定通り撮影画像の上下とカメラ本体１０の上下とが一致するように、すなわち図３（ａ）に示すように、カメラ本体１０の底部側が撮影画像の下側となるようにして記録媒体に記録する（ステップＳ１６）。
【００３５】
なお、上記実施例１では、方向選択ボタン３４の一つの方向ボタンが押された後にシャッタボタン３１が押された場合について説明しているが、方向選択ボタン３４の一つの方向ボタンを押した状態でシャッタボタン３１を押した場合にも、ステップＳ１３の処理に移行するようにしてもよい。
【実施例２】
【００３６】
本実施例２の方向設定記録制御は、シャッタボタン３１が押された後、予め設定された所定時間内に方向選択ボタン３４の一つの方向ボタンが押された場合には、一つの方向ボタンが押された方向が撮影画像の下側となるように画像を回転させて、または一つの方向ボタンが押された方向が下側であることを示す情報を撮影画像に付加して記録媒体に記録するように制御する実施例である。以下、図３に示す説明図、及び図５に示すフローチャートを参照して説明する。
【００３７】
ユーザは、電源ボタン３２をオンして撮影モードとする。撮影モードになると、制御部２は、シャッタボタン３１の入力を常に監視する（ステップＳ２１）。
【００３８】
その結果、シャッタボタン３１が押されると、制御部２は、図示しないタイマー部を起動して、予め設定された所定時間（例えば４秒等）の計測を開始し（ステップＳ２２）、その所定時間の計測中に方向選択ボタン３４が押されたか否かを監視する（ステップＳ２３）。そして、シャッタボタン３１を押した後、所定時間経過前に方向選択ボタン３４の一つの方向ボタンが押された場合（ステップＳ２２でＮｏ、ステップＳ２３でＹｅｓと判断された場合）には、その一つの方向ボタンが押された方向が撮影画像の下側となるように画像を回転させて、または一つの方向ボタンが押された方向が下側であることを示す情報を撮影画像に付加して記録媒体に記録する（ステップＳ２４）。例えば、図３（ｂ）に示すように、カメラ本体１０を横長に構えた状態で方向選択ボタン３４の例えば左方向ボタン３４Ｌが押されると、液晶表示器１４に表示されている撮影画像の左側が下側となるように撮影画像を回転（この場合は反時計方向に９０度回転）させて（図３（ｃ）参照）、または左方向ボタン３４Ｌが押された方向が下側であることを示す情報（例えば、反時計方向への９０度の回転情報等）を撮影画像に付加して記録媒体に記録する。この際、図３（ｂ）に示すように、液晶表示器１４内の左側に記号１４ａを表示（図では黒い帯を表示）して、撮影画像の左側が下側であることをユーザが目視で確認できるようにしてもよい。
【００３９】
一方、シャッタボタン３１を押した後、所定時間が経過しても方向選択ボタン３４が押されなかった場合（ステップＳ２２でＹｅｓと判断された場合）には、制御部２は、初期設定通り撮影画像の上下とカメラ本体１０の上下とが一致するように、すなわち図３（ａ）に示すように、カメラ本体１０の底部側が撮影画像の下側となるようにして記録媒体に記録する（ステップＳ２５）。
【実施例３】
【００４０】
本実施例３は、シャッタボタン３１が２段押しの構造となっている場合の実施例である。すなわち、ユーザがシャッタボタン３１を１段押しすることによって制御部２がフォーカス調整を行い、その後ユーザがシャッタボタン３１をさらに押し込む２段押しすることによってシャッタを切る（撮影画像を取り込む）ようになっている。本実施例３では、このようなシャッタボタン３１の２段押し操作を利用している。
【００４１】
すなわち、本実施例３の方向設定記録制御は、シャッタボタン３１が１段押しされた後に方向選択ボタン３４の一つの方向ボタンが押され、その後シャッタボタン３１がさらに押し込まれて２段押しされた場合には、一つの方向ボタンが押された方向が撮影画像の下側となるように画像を回転させて、または一つの方向ボタンが押された方向が下側であることを示す情報を撮影画像に付加して記録媒体に記録するように制御する実施例である。以下、図３に示す説明図、及び図６に示すフローチャートを参照して説明する。
【００４２】
ユーザは、電源ボタン３２をオンして撮影モードとする。撮影モードになると、制御部２は、シャッタボタン３１の入力（ここでは１段押し）を常に監視する（ステップＳ３１）。
【００４３】
その結果、シャッタボタン３１が１段押されると、制御部２は、次に方向選択ボタン３４が押されたか否かを監視するとともに（ステップＳ３２）、シャッタボタン３３がさらに押し込まれて２段押しされたか否かを監視する（ステップＳ３３）。その結果、シャッタボタン３１が２段押しされることなく方向選択ボタン３４の一つの方向ボタンが押された場合（ステップＳ３２でＹｅｓと判断された場合）には、その一つの方向ボタンが押された方向が撮影画像の下側となるように画像の取り込み方向（記録媒体への記録方向）を設定する（ステップＳ３４）。例えば、図３（ｂ）に示すように、カメラ本体１０を横長に構えた状態で方向選択ボタン３４の例えば左方向ボタン３４Ｌが押されると、液晶表示器１４に表示されている撮影画像の左側が記録媒体への記録時に下側となるように、その取り込み方向（記録媒体への記録方向）を設定する。この場合、図３（ｂ）に示すように、液晶表示器１４内の左側に記号１４ａを表示して、撮影画像の取り込み時には撮影画像の左側が下側であることをユーザが目視で確認できるようにしてもよい。
【００４４】
この後、制御部２は引き続きシャッタボタン３１を監視し（ステップＳ３５）、シャッタボタン３１がさらに押し込まれて２段押しされると（ステップＳ３５でＹｅｓと判断されると）、左方向ボタン３４Ｌが押された方向が撮影画像の下側となるように画像を回転（この場合は反時計方向に９０度回転）させて（図３（ｃ）参照）、または左方向ボタン３４Ｌが押された方向が下側であることを示す情報（例えば、反時計方向への９０度の回転情報等）を撮影画像に付加して記録媒体に記録する（ステップＳ３６）。
【００４５】
一方、方向選択ボタン３４が操作されないままシャッタボタン３１がさらに押し込まれて２段押しされた場合（ステップＳ３２でＮｏ、ステップＳ３３でＹｅｓと判断された場合）には、制御部２は、初期設定通り撮影画像の上下とカメラ本体１０の上下とが一致するように、すなわち図３（ａ）に示すように、カメラ本体１０の底部側が撮影画像の下側となるようにして記録媒体に記録する（ステップＳ３７）。
【００４６】
上記各実施例１〜３では、従来から設けられている撮影方向検出部８については考慮していない。すなわち、上記実施例１〜３は、あくまで手動操作によって撮影画像の上下方向を設定しており、撮影方向検出部８による自動設定については考慮していない。その意味では、撮影方向検出部８を省略した構成とすることができる。これに対し、次の実施例４では、撮影方向検出部８も考慮した実施例となっている。
【実施例４】
【００４７】
本実施例４の方向設定記録制御は、撮影時にシャッタボタン３１のみが操作され、方向選択ボタン３４が操作されない場合には、従来通り撮影方向検出部８による撮影画像の方向検出を優先し、その検出方向が撮影画像の下側となるように画像を回転させて、または検出方向が下側であることを示す情報を撮影画像に付加して記録媒体に記録するように制御する。つまり、シャッタボタン３１を押す前後において、方向選択ボタン３４が操作されたか否かによって、従来通りの撮影方向検出部８による方向検出を優先するか否かを判断するものである。なお、方向選択ボタン３４が操作された場合の処理は、上記実施例１〜３のいずれかの処理となる。
【００４８】
ここで、撮影方向検出部８と上記実施例１の方向設定記録制御とを併用した場合の具体例について、図７を参照して説明する。ただし、図７中の白抜きの矢符は撮影画像の方向を示している。
【００４９】
ユーザは、電源ボタン３２をオンして撮影モードとし、シャッタボタン３１を押す前に、カメラ本体１０を構えて被写体の構図を決定する。ここで、例えば図７（ａ）に示すように、カメラ本体１０を右側を下にするようにして縦長に構えると、撮影方向検出部８はこのカメラ本体１０の方向を自動的に検出し、カメラ本体１０の右側（図７（ａ）では下側）を撮影画像の下側として認識する。図７（ａ）では、縦長の撮影画像の下側（カメラ本体１０でいうと背面側から見て右側）が下側であることをユーザに示すための記号（黒色の帯）１４ａが液晶表示器１４に表示されている。
【００５０】
この状態で、ユーザが例えば図７（ｂ）に示すように、方向選択ボタン３４の下方向ボタン３４Ｄを押すと、撮影画像を記録媒体に記録するときの方向が強制的に切り換えられる。すなわち、縦長の撮影画像の左側（カメラ本体１０でいうと底側）が下側となるように方向を設定する。図７（ｂ）では、縦長の撮影画像の左側（カメラ本体１０の底側）が下側であることをユーザに示すための記号（黒色の帯）１４ａが液晶表示器１４に表示されている。つまり、方向選択ボタン３４が操作された場合には、その後の撮影方向検出部８の方向検出を無視する。
【００５１】
この後、シャッタボタン３１が押されると、制御部２は、下方向ボタン３４Ｄが押された方向が撮影画像の下側となるように画像を回転（この場合は初期設定通りであるので０度の回転）させて（図７（ｃ）参照）、または左方向ボタン３４Ｌが押された方向が下側であることを示す情報（例えば、０度の回転情報）を撮影画像に付加して記録媒体に記録する。
【図面の簡単な説明】
【００５２】
【図１】本発明の電子写真装置である電子カメラの電気的構成を示すブロック図である。
【図２】（ａ）は本実施形態の電子カメラの正面図、（ｂ）は背面図である。
【図３】本発明に係わる方向設定記録制御を説明するための撮影画像の説明図である。
【図４】実施例１の方向設定記録制御の処理を示すフローチャートである。
【図５】実施例２の方向設定記録制御の処理を示すフローチャートである。
【図６】実施例３の方向設定記録制御の処理を示すフローチャートである。
【図７】実施例４の方向設定記録制御を説明するための撮影画像の説明図である。
【符号の説明】
【００５３】
１  電子カメラ
２  制御部
３  操作部
４  撮影部
５  表示部
６  照明部
７  記録部
８  撮影方向検出部
１２  フラッシュ
１３  ファインダ
１４  液晶表示器
３１  シャッタボタン
３２  電源ボタン
３３  メニューボタン
３４  方向選択ボタン
３４Ｌ  左方向ボタン
３４Ｒ  右方向ボタン
３４Ｕ  上方向ボタン
３４Ｄ  下方向ボタン
【図１】
2006080889.tif 000003
【図２】
2006080889.tif 000004
【図３】
2006080889.tif 000005
【図４】
2006080889.tif 000006
【図５】
2006080889.tif 000007
【図６】
2006080889.tif 000008
【図７】
2006080889.tif 000009